(57)【要約】      （修正有）【課題】ヘッドホンのヘッドバンド押圧によりヘアスタイルが崩れることを防止でき、かつ頭頂部における毛髪間の通気性が好適なヘアスタイル保型具を提供する。【解決手段】平面視長方形状の台板１０と、台板の下面１１に等間隔に立設された複数本の凸状体１２と、台板の上面１３をヘッドバンドの内周面に固定するための固定手段２０とを備える。【選択図】図１
0003185956.tif 000002
【実用新案登録請求の範囲】
【請求項１】
ヘッドバンド（ＨＢ）の内周面（ＨＢａ）に固定されるヘアスタイル保型具（１００）であって、
平面視長方形状の台板（１０）と、該台板（１０）の下面（１１）に等間隔に立設された複数本の凸状体（１２）と、前記台板（１０）の上面（１３）を前記ヘッドバンド（ＨＢ）の内周面（ＨＢａ）に固定するための固定手段（２０）とを備えた、ことを特徴とする、ヘアスタイル保型具（１００）。
【請求項２】
前記台板（１０）と凸状体（１２）は、可撓性を有する素材を一体的に成型してなる、ことを特徴とする請求項１に記載のヘアスタイル保型具（１００）。
【請求項３】
前記凸状体（１２）は、基端部（１２ａ）から先端部（１２ｂ）に向けて細くされていると共に、該先端部（１２ｂ）は丸くなっている、ことを特徴とする請求項１又は請求項２に記載のヘアスタイル保型具（１００）。
【請求項４】
前記固定手段（２０）が、雌雄一対からなる面状ファスナーで（Ｆ）ある、ことを特徴とする請求項１に記載のヘアスタイル保型具（１００）。
【請求項５】
前記固定手段（２０）が、接着剤層（Ｓ）と離型紙（Ｒ）とからなる、ことを特徴とする請求項１に記載のヘアスタイル保型具（１００）。
【請求項６】
前記固定手段（２０）が、永久磁石（Ｍ）からなる、ことを特徴とする請求項１に記載のヘアスタイル保型具（１００）。
【考案の詳細な説明】
【技術分野】
【０００１】
本考案は、ヘアスタイル保型具に係り、より詳しくは、オーバーヘッド型のヘッドホンに装着されるヘッドバンドの内周面に取り付けられ、ヘッドホン使用者の頭頂部の毛髪がヘッドバンドによって圧接されてヘアスタイルが崩れる（乱れる）ことを防止するヘアスタイル保型具に関する。
【背景技術】
【０００２】
近年、一人で好きな音楽を聴いたり、語学力の向上のためにヘッドホンを使用する人が増している。オーバーヘッド型のヘッドバンドは、例えば、特許文献１（図８、図９参照）及び特許文献２（図１参照）等に開示されているように、ほぼ半円状ないしは逆Ｕ字状となっている。ヘッドバンドの両側部には、ヘッドホンを構成する一対の音響再生装置、ケーシング及びイヤーパッド等が取り付けられているので、その重量はヘッドバンドの中央部に集中する。またヘッドホンを安定させるためにヘッドバンド全体は頭頂部に向けて押し下げられて使用している。したがって、ヘッドホン全体の重量とヘッドバンドの押圧力で頭頂部の毛髪は押し潰されるのでヘッドホン使用者のヘアスタイルは崩れてしまうことになる。男性、特に多くの若い男性はヘアスタイルが崩れることを嫌がる傾向にあり、また頭頂部の毛髪は、ヘッドバンドにより頭皮に圧接されるので毛髪間の通気性が悪くなり、圧接部の頭皮は発汗が多くなり、気持ち悪く、非衛生的なので、オーバーヘッド型のヘッドバンドは、敬遠されがちで、ヘッドホンそのものの売上が伸び悩んでいるという不具合ともなっている。
【先行技術文献】
【特許文献】
【０００３】
【特許文献１】特開２０１０−５０６４７号公報
【特許文献２】特開２００３−２１９４９２号公報
【考案の概要】
【考案が解決しようとする課題】
【０００４】
しかしながら、上記のような従来のオーバーヘッド型のヘッドバンドの欠点ないしは不具合を解消するような器具又はヘッドバンドは、市販されていないし、また提案されていない現状にある。特許文献１や特許文献２に開示されているヘッドバンドが有する欠点や不具合の解消について鋭意検討を重ねて本願考案を創案するに至った。そこで、その課題は以下の通りである。
○本考案が解決しようとする第１課題
本考案が解決しようとする第１課題は、ヘッドホンを装着したとき、ヘッドバンドによる押圧によりヘアスタイルが崩れることを防止できる、ヘアスタイル保型具を提供することである。
○本考案が解決しようとする第２課題
本考案が解決しようとする第２課題は、ヘッドバンドと頭皮部が密着することがなく、特に頭頂部における毛髪間の通気性を好適とする、ヘアスタイル保型具を提供することである。
○本考案が解決しようとする第３課題
本考案が解決しようとする第３課題は、メーカー毎に異なる各種ヘッドバンドに取り付け可能な汎用性あるヘアスタイル保型具を提供することである。
【課題を解決するための手段】
【０００５】
上記の課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＊＊＊＊＊＊＊＊＊＊＊＊＊＊＊＊＊＊＊＊＊＊＊＊＊＊＊＊＊＊＊＊＊＊＊  
＜用語の説明＞
〇ヘッドホンとは、ヘッドフォンとも称し、電気信号を音響信号に変換する電気音響変換手段を内蔵した一対のヘッドホンユニットと、このヘッドホンユニットを両端に備え、同ヘッドホンユニットを耳に押し当てるためのイヤーパッド、ユニットケーシング及びヘッドバンドを主な構成部材とする音響再生装置をいう。
〇ヘッドバンドとは、ヘッドホンユニットを両側端部に取り付けた頭頂部の上を覆うように半円状ないしはＵ字状に湾曲した弾性帯をいう。
〇ヘアスタイル保型具とは、オーバーヘッド型のヘッドバンドによる頭頂部の毛髪が圧接されることによるヘアスタイルの乱れ（崩れ）を防止するための器具をいう。台板、凸状体及び固定手段を主な構成部材としている。
＊＊＊＊＊＊＊＊＊＊＊＊＊＊＊＊＊＊＊＊＊＊＊＊＊＊＊＊＊＊＊＊＊＊＊
課題を解決するための手段（第１考案〜第５考案）は、本願、実用新案登録請求の範囲の各請求項に記載の考案であり、具体的には、
第１考案は、請求項１に記載の考案であり、
第２考案は、請求項２に記載の考案であり、
第３考案は、請求項３に記載の考案であり、
第４考案は、請求項４に記載の考案であり、
第５考案は、請求項５に記載の考案であり、
第６考案は、請求項６に記載の考案であり、
具体的な課題を解決するための手段は、以下の通りである。
【０００６】
○第１の考案（請求項１に記載の考案）
上記の課題を解決するための第１の考案（請求項１に記載の考案）は、ヘッドバンド（ＨＢ）の内周面（ＨＢａ）に固定されるヘアスタイル保型具（１００）であって、平面視長方形状の台板（１０）と、該台板（１０）の下面（１１）に等間隔に立設された複数本の凸状体（１２）と、前記台板（１０）の上面（１３）を前記ヘッドバンド（ＨＢ）の内周面（ＨＢａ）に固定するための固定手段（２０）とを備えた、ことを特徴とする、ヘアスタイル保型具（１００）である。
○第２の考案（請求項２に記載の考案）
上記の課題を解決するための第２の考案（請求項２に記載の考案）は、前記台板（１０）と凸状体（１２）は、可撓性を有する素材を一体的に成型してなる、ことを特徴とする請求項１に記載のヘアスタイル保型具（１００）である。
○第３の考案（請求項３に記載の考案）
上記の課題を解決するための第３の考案（請求項３に記載の考案）は、前記凸状体（１２）は、基端部（１２ａ）から先端部（１２ｂ）に向けて細くされていると共に、該先端部（１２ｂ）は丸くなっている、ことを特徴とする請求項１又は請求項２に記載のヘアスタイル保型具（１００）である。
○第４の考案（請求項４に記載の考案）
上記の課題を解決するための第４の考案（請求項４に記載の考案）は、前記固定手段（２０）が、雌雄一対からなる面状ファスナーで（Ｆ）ある、ことを特徴とする請求項１に記載のヘアスタイル保型具（１００）である。
○第５の考案（請求項５に記載の考案）
上記の課題を解決するための第５の考案（請求項５に記載の考案）は、前記固定手段（２０）が、接着剤層（Ｓ）と離型紙（Ｒ）とからなる、ことを特徴とする請求項１に記載のヘアスタイル保型具（１００）である。
○第６の考案（請求項６に記載の考案）
上記の課題を解決するための第６の考案（請求項６に記載の考案）は、前記固定手段（２０）が、永久磁石（Ｍ）からなる、ことを特徴とする請求項１に記載のヘアスタイル保型具（１００）である。
【考案の効果】
【０００７】
本考案に係る、ヘアスタイル保型具（１００）は、上記のような特徴的構成要件から構成され、特徴的構成要件に応じた、以下のような本願考案特有の効果を奏する。
また、上記の各考案に応じた、上記のような特徴的構成要件から構成されたヘアスタイル保型具（１００）によれば、本願考案の課題を十分解消することができた。
○第１の考案の効果
第１の考案によれば、ヘッドバンド（ＨＢ）の内周面（ＨＢａ）に固定されるヘアスタイル保型具（１００）であって、平面視長方形状の台板（１０）と、該台板（１０）の下面（１１）に等間隔に立設された複数本の凸状体（１２）と、前記台板（１０）の上面（１３）を前記ヘッドバンド（ＨＢ）の内周面（ＨＢａ）に固定するための固定手段（２０）とを備えたことという特徴的な構成要件により、本考案が解決しようとする第１課題〜第３課題を達成することができ、当業者予測不可能な顕著な効果を奏することができた。
○第２の考案の効果
第２の考案によれば、前記台板（１０）と凸状体（１２）は、可撓性を有する素材を一体的に成型してなることという特徴的な構成要件により、本考案が解決しようとする第１課題〜第３課題を達成することができ、当業者予測不可能な顕著な効果を奏することができた。
○第３の考案の効果
第３の考案によれば、前記凸状体（１２）は、基端部（１２ａ）から先端部（１２ｂ）に向けて細くされていると共に、該先端部（１２ｂ）は丸くなっている
ことという特徴的な構成要件により、本考案が解決しようとする第１課題〜第３課題を達成することができ、当業者予測不可能な顕著な効果を奏することができた。
○第４の考案の効果
第４の考案によれば、前記固定手段（２０）が、雌雄一対からなる面状ファスナーで（Ｆ）あることという特徴的な構成要件により、本考案が解決しようとする第１課題〜第３課題を達成することができ、当業者予測不可能な顕著な効果を奏することができた。
○第５の考案の効果
第５の考案によれば、前記固定手段（２０）が、接着剤層（Ｓ）と離型紙（Ｒ）とからなることという特徴的な構成要件により、本考案が解決しようとする第１課題〜第３課題を達成することができ、当業者予測不可能な顕著な効果を奏することができた。
○第６の考案の効果
第６の考案によれば、前記固定手段（２０）が、永久磁石（Ｍ）からなることという特徴的な構成要件により、本考案が解決しようとする第１課題〜第３課題を達成することができ、当業者予測不可能な顕著な効果を奏することができた。
【考案を実施するための形態】
【０００８】
以下、本考案に係る、ヘアスタイル保型具（１００）に関する最良の実施形態について、図面を参照しながら説明する。
図１は、本考案に係る、ヘアスタイル保型具（１００）の実施形態を示すもので、（イ）は正面図、（ロ）は同底面図、（ハ）は側面図である。
図２は、本考案に係る、ヘアスタイル保型具（１００）をオーバーヘッド型のヘッドバンドに装着した状態の正面図である。
図３は、図２におけるＡ部拡大断面図である。
図４は、固定手段の第２の実施形態を示す要部の説明図である。
図５は、固定手段の第３の実施形態を示す要部の説明図である。
以下、本考案に係る、ヘアスタイル保型具（１００）について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図１（イ）〜（ハ）は、本考案に係る、ヘアスタイル保型具（１００）の実施形態を示すもので、ヘアスタイル保型具（１００）は、平面視長方形状の台板（１０）と、該台板（１０）の下面（１１）に等間隔に立設された複数本の凸状体（１２）と、前記台板（１０）を前記ヘッドバンド（ＨＢ）の内周面（ＨＢａ）に固定するための固定手段（２０）とからなっている。台板（１０）の長手寸法（Ｌ）は、例えば、約１１０ｍｍ〜１３０ｍｍ、好適には約１２０ｍｍとすることができる。台板（１０）の巾寸法（Ｗ）は、例えば、約３０ｍｍ〜４０ｍｍ、好適には約３５ｍｍとすることができる。また台板（１０）の厚さｈ１は、例えば、約３ｍｍ〜３．５ｍｍが好適である。凸状体（１２）の高さは約１２ｍｍ〜１８ｍｍ、好適には約１５ｍｍとすることができる。これにより、図２に示すように、ヘッドバンド（ＨＢ）に固定され、ヘッドホンを使用したとき、頭頂部の毛髪（図示しない）は、ヘッドバンド（ＨＢ）で押し潰されることはないので、ヘアスタイルが崩れ（乱れ）ることを防止することができる。また各凸状体（１２）の間隔は等間隔、例えば、５ｍｍ〜５．５ｍｍにすることができる。これにより、各毛髪間には空気が流通するので、ヘッドホンを長時間使用しても、発汗を抑止することが可能である。
○第１の考案の効果・第１の考案によれば、ヘッドバンド（ＨＢ）の内周面（ＨＢａ）に固定されるヘアスタイル保型具（１００）であって、平面視長方形状の台板（１０）と、該台板（１０）の下面（１１）に等間隔に立設された複数本の凸状体（１２）と、前記台板（１０）を前記ヘッドバンド（ＨＢ）の内周面（ＨＢａ）に固定するための固定手段（２０）とを備えたことという特徴的な構成要件により、本考案が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
台板（１０）及び凸状体（１２）は、可撓性を有する素材、例えば、シリコン樹脂材が好適であり、その硬度は約３５〜４５で、好適には４０である。これを公知の成型法（例えば、押型成型法）で一体的に成型することができる。
○第２の考案の効果・第２の考案によれば、前記台板（１０）と凸状体（１２）は、可撓性を有する素材を一体的に成型してなることという特徴的な構成要件により、本考案が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
凸状体（１２）は、基端部（１２ａ）から先端部（１２ｂ）に向けて細くされていると共に、該先端部（１２ｂ）は丸く形成されている。したがって各凸状体（１２）は、抵抗感を感じることなく頭頂部の毛髪間に円滑に装着し、頭皮に凸状体（１２）の先端部（１２ｂ）が接しても痛み等を感じることなく、ヘッドホンで長時間、音楽を楽しむことができる。
○第３の考案の効果・第３の考案によれば、前記凸状体（１２）は、基端部（１２ａ）から先端部（１２ｂ）に向けて細くされていると共に、該先端部（１２ｂ）は丸くなっていることという特徴的な構成要件により、本考案が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
台板（１０）の上面（１３）には、ヘッドバンド（ＨＢ）の内周面（ＨＢａ）に台板（１０）を固定するための固定手段（２０）が備えられている。図１、図２及び図３に示すのは、雌雄一対からなる面状ファスナー（Ｆ）であり、例えば雌材（Ｙ）は、台板（１０）の上面（１３）に取り付けられ、雄材（Ｘ）は、ヘッドバンド（ＨＢ）の内周面（ＨＢａ）に取り付けられ、ヘッドバンド（ＨＢ）とヘアスタイル保型具（１００）は、着脱自在とすることができる。これにより、ヘアスタイル保型具（１００）は、洗剤やブラシ等により洗浄することができるので、衛生的である。
○第４の考案の効果・第４の考案によれば、前記固定手段（２０）が、雌雄一対からなる面状ファスナーで（Ｆ）あることという特徴的な構成要件により、本考案が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図４に示すのは、固定手段（２０）の第２の実施形態であり、接着剤層（Ｓ）と離型紙（Ｒ）とからなり、台板（１０）に接着剤層（Ｓ）の下部が貼着され、接着剤層（Ｓ）の上面に貼付された離型紙（Ｒ）が貼付されており、ヘアスタイル保型具（１００）をヘッドバンド（ＨＢ）の内周面（ＨＢａ）に取り付けるに際しては、離型紙（Ｒ）を剥離して内周面（ＨＢａ）に貼着することができる。
○第５の考案の効果・第５の考案によれば、前記固定手段（２０）が、接着剤層（Ｓ）と離型紙（Ｒ）とからなることという特徴的な構成要件により、本考案が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図５に示すのは、固定手段（２０）の第３の実施形態である。ヘッドバンド（ＨＢ）は、メーカーにより薄鉄板を使用しているものがあり、台板（１０）の上面（１３）に永久磁石（Ｍ）を取り付けることにより、ヘッドバンド（ＨＢ）とヘアスタイル保型具（１００）は、着脱自在とすることができる。これにより、ヘアスタイル保型具（１００）は、洗剤やブラシ等により洗浄することができるので、衛生的である。
○第６の考案の効果・第６の考案によれば、前記固定手段（２０）が、永久磁石（Ｍ）からなることという特徴的な構成要件により、本考案が解決しようとする第１課題〜第３課題を達成することができ、当業者予測不可能な顕著な効果を奏することができた。
【図面の簡単な説明】
【０００９】
【図１】本考案に係る、ヘアスタイル保型具（１００）の実施形態を示すもので、（イ）は正面図、（ロ）は同底面図、（ハ）は側面図である。
【図２】本考案に係る、ヘアスタイル保型具（１００）をオーバーヘッド型のヘッドバンドに装着した状態の正面図である。
【図３】図２におけるＡ部拡大断面図である。
【図４】固定手段の第２の実施形態を示す要部の説明図である。
【図５】固定手段の第３の実施形態を示す要部の説明図である。
【符号の説明】
【００１０】
１００…ヘアスタイル保型具
ＨＢ  …ヘッドバンド
１０  …台板
１１  …下面
１２  …凸状体
１３  …上面
２０  …固定手段
Ｆ    …面状ファスナー
Ｓ    …接着剤層
Ｒ    …離型紙
Ｍ    …永久磁石
【図１】
0003185956.tif 000003
【図２】
0003185956.tif 000004
【図３】
0003185956.tif 000005
【図４】
0003185956.tif 000006
【図５】
0003185956.tif 000007